(57)【要約】【課題】本発明の目的は、間接活線工事において安全性及び作業性を向上させることができる接地端子仮置き器具及び間接活線工事方法を提供することである。【解決手段】本実施形態の接地端子仮置き器具１は、ねじ軸２と、操作部３と、足場プレート４と、を備える。ねじ軸２は、外周面に雄ねじを含む。操作部３は、ねじ軸２に固定され、ねじ軸２の軸周りに回転可能である。足場プレート４は、足場ボルト用穴５と、ねじ穴６と、凹部１９とを含む。足場ボルト用穴５は、ねじ軸２の軸方向Ｄと交差する方向に延びる。足場ボルト用穴５は、右側部１０及び右側部１０と対向する左側部１１を含む。ねじ穴６は、内周面にねじ軸２とかみ合う雌ねじを含む。ねじ穴６は、足場ボルト用穴５の右側部１０又は左側部１１に設けられ、ねじ軸２が貫通可能である。凹部１９は、ねじ穴６が設けられていない右側部１０又は左側部１１に設けられ、少なくとも一部がねじ軸２と対向する。【選択図】図１
2019068660.tif 000002
【特許請求の範囲】
【請求項１】
外周面に雄ねじを含むねじ軸と、
前記ねじ軸に固定され、前記ねじ軸の軸周りに回転可能な操作部と、
前記ねじ軸の軸方向と交差する方向に延び、右側部及び右側部と対向する左側部を含む足場ボルト用穴と、内周面に前記ねじ軸とかみ合う雌ねじを含み、前記足場ボルト用穴の右側部又は左側部に設けられ、前記ねじ軸が貫通可能なねじ穴と、前記ねじ穴が設けられていない右側部又は左側部に設けられ、少なくとも一部が前記ねじ軸と対向する凹部とを含む、足場プレートと、を備える、接地端子仮置き器具。
【請求項２】
請求項１に記載の接地端子仮置き器具であってさらに、
前記足場プレートは、前記足場ボルト用穴が設けられた底面及び前記ねじ穴が設けられた側面を含む取付部を含み、
前記側面と前記操作部との間に配置され、かつ、前記ねじ軸の外側に配置された板ばね、を備える、接地端子仮置き器具。
【請求項３】
請求項１又は請求項２に記載の接地端子仮置き器具であってさらに、
前記足場プレートは、前記足場ボルト用穴が設けられた壁部、前記壁部に繋がり前記壁部に対して折れ曲がった床部を含み、
前記床部に取り付けられたピン、を備える、接地端子仮置き器具。
【請求項４】
高圧電線と変圧器とを接続する引下線に取り付けられた高圧カットアウトを開放させ、前記高圧電線から前記変圧器に流れる電流を遮断する工程と、
前記高圧カットアウトを開放させた後、前記高圧電線と前記高圧カットアウトとの間の前記引下線を切断する工程と、
前記引下線を切断した後、前記変圧器の接地線に接続された引下線接地短絡器具が取り付けられた請求項１〜請求項３のいずれか１項に記載の接地端子仮置き器具を電柱の足場ボルトに取り付ける工程と、
前記接地端子仮置き器具を電柱の足場ボルトに取り付けた後、絶縁操作棒を用いて前記接地端子仮置き器具に取り付けられた前記引下線接地短絡器具を取り、前記引下線接地短絡器具を前記高圧カットアウトに接続されている方の前記切断された引下線に取り付け、前記高圧カットアウトに接続されている方の前記切断された引下線及び前記変圧器を接地する工程と、
前記引下線及び前記変圧器を接地する工程後、前記変圧器を交換する工程と、
前記変圧器を交換する工程後、前記引下線接地短絡器具を取り外し、前記高圧カットアウトに接続されている方の前記切断された引下線と前記高圧電線に接続されている方の前記切断された引下線とを接続する工程と、を備える、間接活線工事方法。
【発明の詳細な説明】
【技術分野】
【０００１】
本発明は、接地端子仮置き器具及びそれを用いた間接活線工事方法に関する。
【背景技術】
【０００２】
電柱に取り付けられた変圧器を交換する工事では、作業者の安全を確保するため、引下線を接地する必要がある。通常、引下線は変圧器に電流を流すため高圧電線から分岐し、高圧カットアウトを介して変圧器に接続されている。変圧器を交換する手順は以下のとおりである。
【０００３】
高圧電線と変圧器との間に配置された高圧カットアウトを開放させ、高圧電線（引下線）から変圧器に流れる電流を高圧カットアウトによって遮断する。高圧電線と高圧カットアウトとを接続している引下線を切断する。高圧カットアウトと変圧器に取り付けられている接地線とを接地短絡器具を用いて接続する。これにより、変圧器が確実に接地されるため、作業者が安全に変圧器を交換できる。
【０００４】
このような活線工事では、作業者の安全の確保、作業時間の短縮等のため作業者が直接電線に触れない間接活線工法が採用されることが多い。その際、作業性の向上のため、様々な器具が用いられている。
【０００５】
作業性の向上させる器具はたとえば、特開２０１７−２２８８８号公報（特許文献１）に開示されている。
【０００６】
特許文献１に開示された器具は、間接活線作業で用いられる操作棒を電柱に仮置きすることができる操作棒仮固定器具である。この操作棒仮固定器具は、電柱の足場ボルトが貫通する穴を含む基部と、操作棒を支持する支持部とを備える。基部の穴を足場ボルトに通し、操作棒仮固定器具を足場ボルトにぶら下げ、操作棒を支持部に置く。支持部には、操作棒の脱落を防止する形状を有するスリットが設けられる。これにより、間接活線作業の作業性の低下が抑制される、と特許文献１には記載されている。
【先行技術文献】
【特許文献】
【０００７】
【特許文献１】特開２０１７−２２８８８号公報
【特許文献２】実開平７−２７２２１号公報
【発明の概要】
【発明が解決しようとする課題】
【０００８】
しかしながら、特許文献１に開示された操作棒仮固定器具は、足場ボルトに単に引掛けられ、ぶら下がっているだけである。そのため、操作棒仮固定器具が足場ボルトの軸周りに回転したり、足場ボルトの軸方向に動いたりすることが可能である。操作棒仮固定器具が回転したり、動いたりすると、操作棒仮固定器具に支持されている操作棒も動く。したがって、作業者が操作棒を掴みにくくなるだけでなく、操作棒が落下するリスクも生じる。
【０００９】
本発明の目的は、間接活線工事において安全性及び作業性を向上させることができる接地端子仮置き器具及び間接活線工事方法を提供することである。
【課題を解決するための手段】
【００１０】
本実施形態の接地端子仮置き器具は、ねじ軸と、操作部と、足場プレートと、を備える。ねじ軸は、外周面に雄ねじを含む。操作部は、ねじ軸に固定され、ねじ軸の軸周りに回転可能である。足場プレートは、足場ボルト用穴と、ねじ穴と、凹部とを含む。足場ボルト用穴は、ねじ軸の軸方向と交差する方向に延びる。足場ボルト用穴は、右側部及び右側部と対向する左側部を含む。ねじ穴は、内周面にねじ軸とかみ合う雌ねじを含む。ねじ穴は、足場ボルト用穴の右側部又は左側部に設けられ、ねじ軸が貫通可能である。凹部は、ねじ穴が設けられていない右側部又は左側部に設けられ、少なくとも一部がねじ軸と対向する。
【００１１】
本実施形態の間接活線工事方法は、遮断工程と、切断工程と、取付工程と、接地工程と、交換工程と、接続工程と、を備える。遮断工程では、高圧電線と変圧器とを接続する引下線に取り付けられた高圧カットアウトを開放させ、高圧電線から変圧器に流れる電流を遮断する。切断工程では、高圧カットアウトを開放させた後、高圧電線と高圧カットアウトとの間の引下線を切断する。取付工程では、引下線を切断した後、変圧器の接地線に接続された引下線接地短絡器具が取り付けられた上記の接地端子仮置き器具を電柱の足場ボルトに取り付ける。接地工程では、接地端子仮置き器具を電柱の足場ボルトに取り付けた後、絶縁操作棒を用いて接地端子仮置き器具に取り付けられた引下線接地短絡器具を取り、引下線接地短絡器具を高圧カットアウトに接続されている方の切断された引下線に取り付け、高圧カットアウトに接続されている方の切断された引下線及び変圧器を接地する。交換工程では、引下線及び変圧器を接地する工程後、変圧器を交換する。接続工程では、変圧器を交換する工程後、引下線接地短絡器具を取り外し、高圧カットアウトに接続されている方の切断された引下線と高圧電線に接続されている方の切断された引下線とを接続する。
【発明の効果】
【００１２】
本発明による接地端子仮置き器具及び間接活線工事方法は、安全性及び作業性を向上させることができる。
【図面の簡単な説明】
【００１３】
【図１】図１は、接地端子仮置き器具の斜視図である。
【図２】図２は、図１中のＩＩ−ＩＩ線での断面図である。
【図３】図３は、図２中の領域Ａの拡大図である。
【図４】図４は、接地端子仮置き器具の側面図である。
【図５】図５は、接地端子仮置き器具のウィリーを示す側面図である。
【図６】図６は、接地端子仮置き器具の足場ボルトの軸方向周りの回転を示す正面図である。
【図７】図７は、引下線接地短絡器具を仮置きした接地端子仮置き器具を示す斜視図である。
【図８】図８は、高圧電線が取り付けられた電柱を示す模式図である。
【図９】図９は、切断工程を示す模式図である。
【図１０】図１０は、接地工程を示す模式図である。
【図１１】図１１は、一般的な接地工程を示す模式図である。
【発明を実施するための形態】
【００１４】
本実施形態の接地端子仮置き器具は、ねじ軸と、操作部と、足場プレートと、を備える。ねじ軸は、外周面に雄ねじを含む。操作部は、ねじ軸に固定され、ねじ軸の軸周りに回転可能である。足場プレートは、足場ボルト用穴と、ねじ穴と、凹部とを含む。足場ボルト用穴は、ねじ軸の軸方向と交差する方向に延びる。足場ボルト用穴は、右側部及び右側部と対向する左側部を含む。ねじ穴は、内周面にねじ軸とかみ合う雌ねじを含む。ねじ穴は、足場ボルト用穴の右側部又は左側部に設けられ、ねじ軸が貫通可能である。凹部は、ねじ穴が設けられていない右側部又は左側部に設けられ、少なくとも一部がねじ軸と対向する。
【００１５】
本実施形態の接地端子仮置き器具は、電柱の足場ボルトの軸方向と交差する方向からねじ軸が足場ボルトを締めつける。したがって、接地端子仮置き器具は、単に足場ボルトに引掛けられ、ぶら下がっているだけではなく、足場ボルトに対して固定される。また、ねじ軸は足場プレートのねじ穴とかみ合う。そのため、ねじ軸を締め付ける際の締結トルクが足場プレートに伝達される。足場プレートにトルクが伝達されると、足場プレートはねじ軸の軸周りに回転する（以下、ウィリーという）。したがって、足場ボルトの締め付け及び足場プレートのウィリーにより、足場プレートを任意の角度に固定することができる。間接活線工事で用いられる部材は足場プレートに仮置きされるため、部材が仮置きされる足場プレートを水平方向と平行な状態に固定することができる。これにより、仮置きされた部材が落下するリスクが低減され間接活線工事の安全性が向上する。また、部材が仮置きされる部分が水平方向と平行な状態となるため、作業者が部材を取りやすくなり、間接活線工事の作業性が向上する。また、足場ボルトは、ねじ軸によって凹部に押し付けられる。足場ボルトが凹部に当たった後、足場プレートがウィリーしようとすれば、凹部の傾斜面が足場ボルトに当たるため、足場プレートがウィリーできなくなる。すなわち、凹部は足場プレートのウィリーを止めることができる。これにより、凹部により任意の角度（特に水平）に足場プレートを固定しやすくなる。
【００１６】
足場プレートは、足場ボルト用穴が設けられた底面及びねじ穴が設けられた側面を含む取付部を含むのが好ましい。この場合、上記の接地端子仮置き器具はさらに、側面と操作部との間に配置され、かつ、ねじ軸の外側に配置された板ばねを備える。
【００１７】
この場合、ねじ軸の締結過程の途中までは、板ばねの端面と足場プレートの側面との間の摩擦により足場プレートのウィリーを促進させることができる。ねじ軸の締結過程の終盤では、ねじ軸とねじ穴との軸力が強まり、足場プレートに与えられるトルクは、ねじ軸の締結トルクが支配的となる。これにより、板ばねの端面と足場プレートの側面との間の摩擦は、足場プレートのウィリーを抑制する方向に働くため、足場プレートの急激なウィリーを抑制することができる。
【００１８】
上記の接地端子仮置き器具において、足場プレートは、足場ボルト用穴が設けられた壁部、壁部に繋がり壁部に対して折れ曲がった床部を含むのが好ましい。この場合、接地端子仮置き器具は、床部に取り付けられたピンを備える。
【００１９】
この場合、たとえば、ピンに引下線接地短絡器具が仮置きされる。作業者が、絶縁操作棒を用いて引下線接地短絡器具を取ろうとする際、引下線接地短絡器具がピンの軸周りに回転可能であるため、作業者が引下線接地短絡器具を取りやすい。
【００２０】
本実施形態の間接活線工事方法は、遮断工程と、切断工程と、取付工程と、接地工程と、交換工程と、接続工程と、を備える。遮断工程では、高圧電線と変圧器とを接続する引下線に取り付けられた高圧カットアウトを開放させ、高圧電線から変圧器に流れる電流を遮断する。切断工程では、高圧カットアウトを開放させた後、高圧電線と高圧カットアウトとの間の引下線を切断する。取付工程では、引下線を切断した後、変圧器の接地線に接続された引下線接地短絡器具が取り付けられた本実施形態の接地端子仮置き器具を電柱の足場ボルトに取り付ける。接地工程では、接地端子仮置き器具を電柱の足場ボルトに取り付けた後、絶縁操作棒を用いて接地端子仮置き器具に取り付けられた引下線接地短絡器具を取り、引下線接地短絡器具を高圧カットアウトに接続されている方の切断された引下線に取り付け、高圧カットアウトに接続されている方の切断された引下線及び変圧器を接地する。交換工程では、引下線及び変圧器を接地する工程後、変圧器を交換する。接続工程では、変圧器を交換する工程後、引下線接地短絡器具を取り外し、高圧カットアウトに接続されている方の切断された引下線と高圧電線に接続されている方の切断された引下線とを接続する。
【００２１】
本実施形態の間接活線工事方法によれば、上述した接地端子仮置き器具を用いるため、安全性及び作業性が向上する。
【００２２】
以下、図面を参照して、本発明の実施の形態を詳しく説明する。図中同一又は相当部分には同一符号を付してその説明は繰り返さない。
【００２３】
［接地端子仮置き器具］
図１は、接地端子仮置き器具の斜視図である。図１を参照して、接地端子仮置き器具１は、ねじ軸２（図２参照）と、操作部３と、足場プレート４と、を備える。
【００２４】
［ねじ軸］
図２は、図１中のＩＩ−ＩＩ線での断面図である。図２では、足場プレートの一部は省略する。図２を参照して、ねじ軸２は、円柱形状である。ねじ軸２は、外周面に雄ねじを含む。
【００２５】
［操作部］
操作部３は、ねじ軸２に固定される。操作部３は、ねじ軸２の軸方向Ｄ周りに回転可能である。すなわち、操作部３はねじ軸２と一体的に回転可能である。操作部３がねじ軸２の軸方向Ｄ周りに回転すれば、ねじ軸２も回転する。作業者は、先端にフック工具を装着した絶縁操作棒によって操作部３を回転させる。操作部３の形状はたとえば、リング状である。しかしながら、操作部３の形状はこれに限定されない。操作部３の形状は、多角形、楕円等であってもよい。要するに、操作部３の形状は絶縁操作棒によって操作できる形状であればよい。
【００２６】
［足場プレート］
図１を参照して、足場プレート４は、足場ボルト用穴５及びねじ穴６を含む。足場ボルト用穴５には、電柱の足場ボルトが通る。足場ボルト用穴５は、ねじ軸２の軸方向Ｄと交差する方向に延びる。すなわち、足場ボルト用穴５は、ねじ軸２の軸方向Ｄと交差する方向に一定の長さを有する。ねじ穴６の設置スペースを確保するためである。足場ボルト用穴５の延びる方向は、ねじ軸２の軸方向Ｄと平行でなければよい。足場ボルト用穴５がねじ軸２の軸方向Ｄと平行に延びれば、ねじ軸２によって足場ボルトを固定できないからである。
【００２７】
好ましくは、足場ボルト用穴５は、ねじ軸２の軸方向Ｄと直交し、かつ、鉛直方向と直交する方向に延びる。すなわち、足場ボルト用穴５は、水平方向に延びるのが好ましい。足場ボルト用穴５がねじ軸２の軸方向Ｄと直交する方向に延びれば、足場ボルトをねじ軸２によって強固に固定することができる。また、足場ボルトは水平方向に延びるため、足場ボルト用穴５が鉛直方向と直交する方向に延びれば、足場ボルトを足場ボルト用穴５に通しやすい。
【００２８】
図２を参照して、足場ボルト用穴５の形状は、足場ボルトが通ることができればよく、特に限定されない。しかしながら、足場ボルト用穴５の形状は、足場ボルト頭の直径よりも大きい直径を有する大円部７と、足場ボルト頭の直径よりも小さい直径を有する小円部８と、大円部と小円部とをつなぐ平行部９を含むのが好ましい。
【００２９】
足場ボルト用穴５は、右側部１０及び左側部１１を含む。左側部１１は、右側部１０と対向する。右側部１０及び左側部１１は、足場ボルト用穴５の中心を通る鉛直線によって区分される。
【００３０】
ねじ穴６は、足場ボルト用穴５の右側部１０に設けられる。ねじ穴６は、右側部１０を貫通して設けられる。ねじ穴６は、内周面にねじ軸２とかみ合う雌ねじを含む。ねじ軸２は、ねじ穴６を貫通可能である。上述したように、ねじ軸２の軸方向Ｄは、足場ボルト用穴５の延びる方向と交差する。したがって、ねじ穴６の延びる方向も、足場ボルト用穴５の延びる方向と交差する。
【００３１】
操作部３を回転させれば、ねじ軸２が回転する。ねじ軸２の雄ねじは、ねじ穴６の雌ねじとかみ合う。したがって、操作部３を回転させれば、ねじ軸２は軸方向Ｄに動く。これにより、ねじ軸２の先端を、足場ボルト用穴５の右側部１０から突出又は引き込めることができる。足場ボルト用穴５に足場ボルトを通した後、操作部３を回転させることでねじ軸２が足場ボルトを押し、ねじ軸２と左側部１１とで足場ボルト１８を挟む（図３参照）。これにより、接地端子仮置き器具１を電柱の足場ボルトに固定することができる。
【００３２】
［凹部］
図３は、図２中の領域Ａの拡大図である。図３を参照して、足場ボルト用穴５の左側部１１は、凹部１９を含んでいてもよい。凹部１９は、左側部１１から凹んでいる。凹部１９は、足場プレート４のウィリーを止める役割を担う。上述したように、足場プレート４を固定するため操作部を回転させると、足場プレートがウィリーし始める。操作部の回転を継続すると、ねじ軸２の先端が足場ボルト１８と接触し、足場ボルト１８が左側部１１に押し付けられる。この際、左側部１１に凹部１９が設けられていれば、足場ボルト１８は凹部１９に当たる。足場ボルト１８が凹部１９に当たった後、操作部の回転を継続すると、足場プレートはウィリーし続けようとする。しかしながら、凹部１９は傾斜面２０を含むため、足場ボルト１８が凹部１９に当たった後、足場プレートがウィリーしようとすれば、傾斜面２０が足場ボルト１８に当たるため、足場プレートのウィリーを止めることができる。これにより、過剰なウィリーを抑制し、足場プレートを任意の角度（特に水平）で固定しやすくなる。なお、傾斜面２０とは、ねじ穴５の延びる方向に垂直な断面において、足場プレートの平行部９に対して傾斜した面をいう。
【００３３】
凹部１９の少なくとも一部は、足場ボルト用穴５の上端から足場ボルト１８の直径と同じ長さの左側部１１の領域に設けられる。足場ボルト用穴５を足場ボルトに通し、接地端子仮置き器具を足場ボルトにぶら下げると、足場ボルト１８は足場ボルト用穴５の上端と接触する。したがって、足場ボルト用穴５の上端から足場ボルト１８の直径と同じ長さの左側部１１の領域に設けられれば、足場ボルト１８が締めつけられたとき、足場ボルト１８が凹部１９に押し付けられる。これにより、足場プレートのウィリーが所定の角度で止まる。なお、足場ボルト１８は、ねじ軸２によって凹部１９に押し付けられる。したがって、足場ボルト１８が押し付けられる凹部１９の少なくとも一部は、ねじ軸２と対向する。
【００３４】
凹部１９の断面形状は円弧であるのが好ましい。足場ボルト１８が凹部１９に押し付けられた状態で、足場プレートがスムーズにウィリーするためである。しかしながら、凹部１９の断面形状はこれに限定されない。凹部１９の断面形状は、多角形であってもよい。
【００３５】
図１を参照して、足場プレート４は、取付部１２と、壁部１３と、床部１４とを含む。
【００３６】
図２を参照して、取付部１２は、底面１５及び側面１６を含む。底面１５には足場ボルト用穴５が設けられる。側面１６には、ねじ穴６が設けられる。より具体的には、ねじ穴６は足場ボルト用穴５の右側部１０から側面１６まで設けられる。ねじ軸２は、側面１６から右側部１０に向かって挿入される。
【００３７】
図１を参照して、壁部１３は、床部１４と一体である。床部１４には、間接活線工事で用いられる部材が仮置きされる。間接活線工事で用いられる部材はたとえば、引下線接地短絡器具である。壁部１３及び床部１４は、金属板を折り曲げて作られる。したがって、壁部１３と床部１４とのなす角度は１８０度未満である。作業性を考慮すると、壁部１３と床部１４とのなす角度は９０度であるのが好ましい。
【００３８】
続いて、本実施形態の接地端子仮置き器具による安全性及び作業性の向上について説明する。
【００３９】
［安全性向上の仕組み］
図４は、接地端子仮置き器具の側面図である。図４を参照して、接地端子仮置き器具１を電柱２２の足場ボルト１８に取り付けた後、作業者は絶縁操作棒を用いて操作部３を回転させる。
【００４０】
図２を参照して、操作部３の回転に伴い、ねじ軸２の先端が足場ボルト用穴５の右側部１０から左側部１１に向かって突出する。ねじ軸２の先端は、足場ボルト１８と接触する（図３参照）。ねじ軸２の先端に押された足場ボルト１８は、左側部１１に接触する。すなわち、足場ボルト１８は、ねじ軸２の先端と左側部１１とに挟まれる。足場ボルト１８が、ねじ軸２の先端と左側部１１と接触した後、操作部３をさらに回転させると、ねじ軸２がねじ穴６に締まり、ねじ軸２及びねじ穴６に軸力が発生する。
【００４１】
これにより、接地端子仮置き器具１は、足場ボルト１８に固定される。接地端子仮置き器具１が固定されれば、仮置きされる間接活線工事用の部材が接地端子仮置き器具１に安定して支持される。また、以下に述べるように、接地端子仮置き器具１の足場プレート４を水平方向と平行な状態に固定することで、仮置きされる部材が落下するリスクが低減され、間接活線工事の安全性が向上する。
【００４２】
［作業性向上の仕組み］
操作部３を回転させると、ねじ軸２が回転する。ねじ軸２の雄ねじは、足場プレート４のねじ穴６の雌ねじとかみ合う。そのため、ねじ軸２の締結トルクはねじ穴６、すなわち、足場プレート４に伝達される。これにより、足場プレート４は、ウィリーすることができる。
【００４３】
図５は、接地端子仮置き器具のウィリーを示す側面図である。図５中、破線は、図４での接地端子仮置き器具の位置を示す。図５中、一点鎖線は、足場プレート４の床部１４が水平方向よりも起き上がった位置を示す。なお、図５中、破線及び一点鎖線で示される接地端子仮置き器具では操作部３等の表示は省略する。
【００４４】
図５を参照して、足場プレート４にトルクが伝達されると、足場プレート４はねじ軸の軸周りに回転（ウィリー）する。足場プレート４がウィリーすると、当然ながら、部材を仮置きする床部１４もウィリーする。破線で示すように、接地端子仮置き器具１を単に足場ボルト１８にぶら下げただけでは、接地端子仮置き器具１の重心の位置によっては、床部１４が水平とならない。したがって、作業者は床部１４に仮置きされている部材を取りにくく、作業性は高くはない。
【００４５】
しかしながら、本実施形態の接地端子仮置き器具１は、上述したように、操作部３を回転させることで足場プレート４の床部１４がウィリーすることができる。したがって、床部１４が水平となるように調整したり、作業者の位置に合わせて床部１４の位置を足場ボルトと平行にしたりすることができる。また、図５中、一点鎖線で示すように、床部１４が過剰にウィリーし、床部１４が水平状態を超えてウィリーすることを抑制することができる。そのため、作業者が部材を取りやすいように床部１４の位置を固定でき、作業性が向上する。
【００４６】
要するに、本実施形態の接地端子仮置き器具は、電柱の足場ボルトの軸方向と交差する方向からねじ軸が足場ボルトを締めつける。ねじ軸は足場プレートのねじ穴とかみ合う。そのため、ねじ軸を締め付ける際の締結トルクが足場プレートに伝達される。したがって、足場プレートがウィリーすることができる。間接活線工事で用いられる部材は足場プレートに仮置きされるため、足場プレートのウィリーにより作業者が部材を取りやすいように足場プレートの位置を固定できる。また、凹部により足場プレートのウィリーを制御できるため、部材が仮置きされる足場プレートの床部を水平に固定することができる。これにより、間接活線工事の作業性が向上する。
【００４７】
さらに、本実施形態の接地端子仮置き器具は、ねじ軸によって足場ボルトに固定されるため、ねじ軸の軸方向から見た回転（ウィリー）だけでなく、足場ボルトの軸方向に任意の角度で回転でき、固定できる。
【００４８】
図６は、接地端子仮置き器具の足場ボルトの軸方向周りの回転を示す正面図である。図６中の破線は、接地端子仮置き器具が足場ボルト１８にぶら下がっただけの状態を示す。図６を参照して、接地端子仮置き器具１を足場ボルト１８に固定する前は、接地端子仮置き器具１は足場ボルト１８にぶら下がっているだけである。そのため、足場ボルト１８の軸方向周りに回転することができる。したがって、接地端子仮置き器具１を足場ボルト１８の軸方向周りの任意の位置まで回転させ、その状態で絶縁操作棒２９によって操作部３を回転させ接地端子仮置き器具１を足場ボルト１８に固定すれば、接地端子仮置き器具１は足場ボルト１８の軸方向周りの任意の位置で固定される。すなわち、足場ボルト１８の軸方向から見て、足場プレート４を水平方向から傾けて固定することができる。
【００４９】
作業者が乗車している高所作業車のバケットは、必ずしも接地端子仮置き器具１と同じ高さにあるわけではない。この場合、作業者が接地端子仮置き器具１に仮置きされた部材を取る際、作業者は自身よりも高い位置又は低い位置にある部材を取る必要があり、作業性は高くはない。しかしながら、本実施形態の接地端子仮置き器具１は、足場ボルト１８の軸方向から見て、足場プレート４を水平方向から傾けて固定することができる。したがって、部材が仮置きされる足場プレート４の床部１４を作業者の方向に向けることができる。これにより、高さ方向において、作業者の位置が接地端子仮置き器具１の位置と異なっても、作業者が部材を容易に取ることができ、作業性がさらに向上する。
【００５０】
［板ばね］
図２を参照して、接地端子仮置き器具１は、板ばね１７を備えていてもよい。板ばね１７は、ねじ軸２の外側に配置される。板ばね１７は、操作部３と取付部１２の側面１６との間に配置される。より具体的には、板ばね１７は操作部３の端面と取付部１２の側面１６との間に挟み込まれる。したがって、板ばね１７は、操作部３の回転と共に回転しない。
【００５１】
足場ボルト１８を締めつけるため操作部３を回転させると、操作部３はねじ軸２と固定されているため、操作部３もねじ軸２の進行方向に動く。操作部３が取付部１２の側面１６に近づくと、板ばね１７は操作部３及び側面１６とによって圧縮される。板ばね１７が圧縮されると、復元力により板ばね１７から操作部３にも力が加えられる。この状態から、操作部３をさらに回転させると、操作部３と板ばね１７との間の摩擦により、板ばね１７も操作部３の回転方向と同じ方向に回転しようとする。一方、板ばね１７の復元力は、取付部１２の側面１６にも力を加える。したがって、板ばね１７が操作部３の回転方向と同じ方向に回転しようとすると、板ばね１７と側面１６との間の摩擦により、板ばね１７から足場プレート４に操作部３の回転方向と同じ方向のトルクが与えられる。すなわち、板ばね１７から足場プレート４に与えられるトルクは、足場プレート４のウィリーを促進する方向に働く。
【００５２】
板ばね１７は、１つでもよいし、複数でもよい。好ましくは、板ばね１７は、ねじ軸２の軸方向Ｄ周りに配置される。
【００５３】
［ピン］
図１を参照して、接地端子仮置き器具１は、ピン２８を備えていてもよい。ピン２８は、足場プレート４の床部１４に取り付けられる。ピン２８には、間接活線工事で用いられる部材が仮置きされる。
【００５４】
図７は、引下線接地短絡器具を仮置きした接地端子仮置き器具を示す斜視図である。図７では、仮置きされる部材が引下線接地短絡器具２１である場合を示す。この場合、接地端子仮置き器具は、３つのピンを備える。一般に、高圧電線と高圧カットアウトとをつなぐ引下線は３本である。したがって、３本の引下線それぞれを接地線と連結するため、引下線接地短絡器具２１は３つ必要となる。引下線接地短絡器具２１は、ピンに差し込まれているだけである。したがって、引下線接地短絡器具２１は、ピンの軸周りに回転可能である。作業者が、絶縁操作棒２９を用いて引下線接地短絡器具２１を取ろうとする際、引下線接地短絡器具２１がピンの軸周りに回転可能であるため、作業者がいかなる位置であっても引下線接地短絡器具２１を取りやすい。
【００５５】
接地端子仮置き器具１が３つのピンを備える場合、３つのピンは足場ボルト用穴５の延びる方向と交差する方向に並べられるのが好ましい。上述したように、引下線接地短絡器具２１はピンの軸周りに回転可能である。そのため、３つのピンが足場ボルト用穴５の延びる方向と平行に並べられていると、ある引下線接地短絡器具２１が隣の引下線接地短絡器具と接触しやすい。そのため、引下線接地短絡器具２１の回転角度が制限される。しかしながら、３つのピンが足場ボルト用穴５の延びる方向と交差する方向に並べられれば、ある引下線接地短絡器具２１が隣の引下線接地短絡器具と接触しにくくなる。したがって、引下線接地短絡器具２１の回転角度が広くなる。これにより、作業者の作業性がさらに向上する。
【００５６】
［間接活線工事方法］
続いて、本実施形態の接地端子仮置き器具を用いた間接活線工事方法について説明する。本実施形態の間接活線工事方法は、電柱に取り付けられた変圧器を交換するための方法である。
【００５７】
本実施形態の間接活線工事方法は、遮断工程と、切断工程と、取付工程と、接地工程と、交換工程と、接続工程と、を備える。以下、各工程について説明する。
【００５８】
［遮断工程］
図８は、高圧電線が取り付けられた電柱を示す模式図である。図８を参照して、電柱２２には高圧電線２３と、高圧カットアウト２４と、変圧器２５が取り付けられている。引下線２６は、変圧器に電流を流すため、高圧電線２３と変圧器２５とを接続する。引下線２６には高圧カットアウト２４が取り付けられる。高圧カットアウト２４は、引下線２６に流れる電流を遮断することができる。通常、変圧器２５に電流を流すため、高圧カットアウト２４は開放していない。しかしながら、変圧器２５を交換する際、作業者の安全を確保するため、変圧器２５に流れる電流を遮断する必要がある。そのため、遮断工程では、高圧カットアウト２４を開放させ、高圧電線２３から変圧器２５に流れる電流を遮断する。
【００５９】
［切断工程］
図９は、切断工程を示す模式図である。図９を参照して、高圧カットアウト２４を開放させた後、切断工具によって、高圧電線２３と高圧カットアウト２４との間の引下線２６を切断する。これにより、高圧電線２３と高圧カットアウト２４との間の引下線２６は、高圧電線２３に接続されている方の引下線２６Ａと、高圧カットアウト２４に接続されている方の引下線２６Ｂとに分割される。
【００６０】
［取付工程］
取付工程では、上述した接地端子仮置き器具１を電柱２２の足場ボルト１８に取り付ける。接地端子仮置き器具１には、引下線接地短絡器具２１が取り付けられている。この引下線接地短絡器具２１は、変圧器２５の接地線２７に接続されている。これにより、引下線接地短絡器具２１は、変圧器２５とともに接地される。
【００６１】
接地端子仮置き器具１に仮置きされている引下線接地短絡器具２１は、取付工程の前に予め、接地線２７に接続される。作業者は切断工程の後、既に接地され、接地端子仮置き器具１に仮置きされている引下線接地短絡器具２１を、絶縁操作棒２９を用いて取る（図７参照）。
【００６２】
ここで、本実施形態の間接活線工事方法で上述した接地端子仮置き器具１を用いる効果について説明する。
【００６３】
図９を参照して、電柱２２には上方から、高圧電線２３、高圧カットアウト２４、変圧器２５の順に配置されることがある。このような電柱２２において、変圧器２５よりも下方にいる作業者が、高圧電線２３と高圧カットアウト２４との間の引下線を切断し、絶縁操作棒を用いて接地短絡器具２１と接続することは困難である。なぜなら、作業者と高圧カットアウト２４との間に変圧器２５があるため、絶縁操作棒が変圧器２５と干渉する可能性があるからである。そのため、このような電柱では従来、高所作業車を用いて作業者が手作業で直接高圧カットアウト２４を開放し、高圧カットアウト２４に接地短絡器具２１を取り付けていた。作業者は絶縁衣、高圧手袋等を身に着けるため安全面に問題はないが、絶縁操作棒で間接的に作業するのがより望ましい。
【００６４】
そこで、上述した接地端子仮置き器具１を用いれば、この問題を解決することができる。接地端子仮置き器具１は、足場ボルト１８に取り付けられる。接地端子仮置き器具１には引下線接地短絡器具２１が仮置きされている。作業者が絶縁操作棒を用いて接地端子仮置き器具１に仮置きされている引下線接地短絡器具２１を取る際、変圧器２５は障害とはならない。なぜなら、上述したように、ねじ軸の軸方向から見て任意の角度（特に水平）に接地端子仮置き器具１を固定することができ、また、足場ボルトの軸方向から見て任意の角度に接地端子仮置き器具１を固定することができるからである。そのため、作業者が接地端子仮置き器具１に仮置きされている部材を取りやすいように、接地端子仮置き器具１の角度を調整できる。したがって、本実施形態の間接活線工事方法によれば、作業性が向上する。さらには、作業者が直接、手作業で引下線を接地させる必要がないため、安全性がさらに向上する。
【００６５】
［接地工程］
図１０は、接地工程を示す模式図である。図１０を参照して、接地工程では、絶縁操作棒を用いて接地端子仮置き器具１に取り付けられた引下線接地短絡器具２１を取る。この引下線接地短絡器具２１を切断工程にて切断された引下線２６に取り付ける。ここで、切断された引下線２６は、高圧電線２３に接続されている引下線２６Ａと、高圧カットアウト２４に接続されている引下線２６Ｂとの２つがある。引下線接地短絡器具２１が取り付けられるのは、高圧カットアウト２４に接続されている方の切断された引下線２６Ｂである。上述したように、この引下線接地短絡器具２１は予め変圧器２５の接地線に接続されており、接地されている。したがって、接地工程により、引下線２６、高圧カットアウト２４、及び変圧器２５が接地される。このような接地工程の実施により、電流の短絡（ショート）を抑制することができる。以下、この点について詳述する。
【００６６】
図１１は、一般的な接地工程を示す模式図である。図１１を参照して、一般に、引下線２６、高圧カットアウト２４、及び変圧器２５を接地する際、変圧器２５の接地線２７に接続された引下線接地短絡器具２１は、高圧カットアウト２４に直接接続される。変圧器２５の交換後、高圧電線２３と高圧カットアウト２４との間の切断された引下線２６Ａ及び２６Ｂ同士を再接続し、変圧器２５に電流を再び流す。
【００６７】
しかしながら、このような接地工程では、変圧器２５の交換後、引下線接地短絡器具２１を取り外さずに変圧器２５に電流を流すと、図１１中の破線で示す電流が生じる。これにより、引下線等がショートする可能性がある。
【００６８】
図１０を参照して、本実施形態の間接活線工事方法によれば、引下線接地短絡器具２１は高圧カットアウト２４に直接接続しない。引下線接地短絡器具２１は、高圧カットアウト２４に接続されている方の切断された引下線２６Ｂに接続される。したがって、変圧器２５に電流を再び流すために、切断された引下線２６Ａ及び２６Ｂ同士を接続するには、必ず、引下線接地短絡器具２１を取り外さなければならない。このため、本実施形態の間接活線工事方法によれば、引下線等がショートすることが抑制される。
【００６９】
［交換工程］
交換工程では、変圧器２５を交換する。交換工程は、接地工程の後に実施されるため、変圧器に電流が残留していたとしても接地線を通して地中に流れるため、作業者が感電することなく安全に変圧器の交換作業を行うことができる。
【００７０】
［接続工程］
接続工程では、引下線接地短絡器具２１を取り外し、高圧カットアウト２４に接続されている方の切断された引下線２６Ｂと高圧電線２３に接続されている方の切断された引下線２６Ａとを接続する。接続工程は、交換工程の後に実施される。要するに、接続工程では、引下線２６を元の状態に戻す。接続工程は、電線接続工具等により周知の方法により実施される。
【００７１】
以上、本発明の実施の形態を説明した。しかしながら、上述した実施の形態は本発明を実施するための例示に過ぎない。したがって、本発明は上述した実施の形態に限定されることなく、その趣旨を逸脱しない範囲内で上述した実施の形態を適宜変更して実施することができる。
【００７２】
上述の説明では、ねじ穴が足場ボルト用穴５の右側部に設けられる場合について説明した。しかしながら、ねじ穴は足場ボルト用穴５の左側部に設けられてもよい。この場合、右側部にねじ穴は設けられない。また、この場合、凹部は右側部に設けられる。要するに、上述した接地端子仮置き器具の左右が逆になってもよい。
【００７３】
上述の説明では、接地端子仮置き器具が取付部を含む場合を説明した。しかしながら、接地端子仮置き器具は取付部を含んでいなくてもよい。足場ボルト用穴及びねじ穴が設けられるように足場プレートを任意の形状にしてもよい。
【００７４】
上述の説明では、接地端子仮置き器具が部材の仮置きを可能とするピンを含む場合について説明した。しかしながら、部材を仮置きする構成はピンに限定されない。部材を仮置きする構成としてたとえば、足場プレートの床部に部材を引掛け、支持できるスリットやフックが設けられていてもよい。
【００７５】
本明細書において、「交差」とは、ある方向とある方向とが９０度に交差する場合のみを意味するものではない。ある方向とある方向とが９０度と異なる角度をなして交差してもよい。たとえば、「足場ボルト用穴は、ねじ軸の軸方向と交差する方向に延びる」とは、足場ボルト用穴が、ねじ軸の軸方向と直交する方向に延びる場合のみを意味するのではない。足場ボルト用穴が、ねじ軸と斜めに交差して伸びる場合も含む。
【符号の説明】
【００７６】
１：接地端子仮置き器具
２：ねじ軸
３：操作部
４：足場プレート
５：足場ボルト用穴
６：ねじ穴
７：大円部
８：小円部
９：平行部
１０：右側部
１１：左側部
１２：取付部
１３：壁部
１４：床部
１５：底面
１６：側面
１７：板ばね
１８：足場ボルト
１９：凹部
２０：傾斜面
２１：引下線接地短絡器具
２２：電柱
２３：高圧電線
２４：高圧カットアウト
２５：変圧器
２６：引下線
２７：接地線
２８：ピン
【図１】
2019068660.tif 000003
【図２】
2019068660.tif 000004
【図３】
2019068660.tif 000005
【図４】
2019068660.tif 000006
【図５】
2019068660.tif 000007
【図６】
2019068660.tif 000008
【図７】
2019068660.tif 000009
【図８】
2019068660.tif 000010
【図９】
2019068660.tif 000011
【図１０】
2019068660.tif 000012
【図１１】
2019068660.tif 000013